(57)【要約】【課題】燃料の均等供給，高効率な電気接続が可能な燃料電池を用いた、小型，低背で、かつ高機能で安定して使用可能な電子機器を提供すること。【解決手段】燃料電池１を有している電子機器であって、燃料電池１は、第１および第２電極４，５が固体電解質が周囲に張り出すように形成された電解質部材３の第１電極４を内部に収容するとともに外周部に固体電解質の張出部２０を載置する載置部１９ａを有する第１凹部を有する多層セラミックスから成る基体６と、第１流体流路８と、第１配線導体１０と、基体６の上面に取着される、第２電極５を収容するとともに外周部に張出部２０に当接する当接部１９ｂを有する第２凹部を下面に有する蓋体７と、第２流体流路９と、第２配線導体１１と、外部接続用端子１２とを具備する燃料電池用容器２を有している。【選択図】  図１
2005038670.tif 000002
【特許請求の範囲】
【請求項１】
電源として燃料電池を有している電子機器であって、前記燃料電池は、板状の固体電解質の下側主面に第１電極および上側主面に第２電極がそれぞれ前記固体電解質が周囲に張り出すように形成された電解質部材の少なくとも前記第１電極を内部に収容するとともに外周部に前記固体電解質の張出部を載置する載置部を有する第１凹部を上面に有する多層セラミックスから成る基体と、前記電解質部材の前記下側主面に対向する前記第１凹部の底面から前記基体の外面にかけて形成された第１流体流路と、前記電解質部材の前記第１電極に対向する前記第１凹部の底面に一端が配設され、他端が前記基体の外面に導出された第１配線導体と、前記基体の前記第１凹部の周囲の上面に前記第１凹部を覆って取着される、前記第２電極を収容するとともに外周部に前記張出部に当接して前記載置部との間に前記張出部を挟持する当接部を有する第２凹部を下面に有する、前記第１凹部を気密に封止する蓋体と、前記電解質部材の前記上側主面に対向する前記蓋体の下面から前記蓋体の外面にかけて形成された第２流体流路と、前記電解質部材の前記第２電極に対向する前記蓋体の下面に一端が配設され、他端が前記蓋体の外面に導出された第２配線導体と、前記基体および前記蓋体の少なくとも一方に形成された外部接続用端子とを具備する燃料電池用容器を有しており、該燃料電池用容器の前記載置部に前記電解質部材を載置して、該電解質部材の前記下側および上側主面を前記第１および第２流体流路との間でそれぞれの流体がやりとり可能なように配置するとともに、前記第１および第２電極を前記第１および第２配線導体にそれぞれ電気的に接続するとともに前記外部接続用端子にそれぞれ電気的に接続し、前記基体の前記第１凹部の周囲の上面に前記第１凹部を覆って前記蓋体を取着して成ることを特徴とする電子機器。
【請求項２】
前記基体は、前記第１凹部が複数個形成されているとともに、一端が前記第１凹部の１つの底面で前記電解質部材の前記第１電極に対向し、かつ他端が前記第１凹部の他の１つの底面で前記電解質部材の前記第１電極に対向する第３配線導体が形成されていることを特徴とする請求項１記載の電子機器。
【請求項３】
前記基体は、前記第１凹部が複数個形成されているとともに、一端が前記第１凹部の１つの底面で前記電解質部材の前記第１電極に対向し、かつ他端が前記基体の前記蓋体が取着される上面に導出された第４配線導体と、一端が前記蓋体の下面で前記第１凹部の他の１つの前記電解質部材の前記第２電極に対向し、かつ他端が前記蓋体の前記基体の前記上面に取得される下面に前記第４配線導体の他端と対向するように導出された第５配線導体が形成されていることを特徴とする請求項１記載の電子機器。
【請求項４】
前記基体は、前記電解質部材を複数個収容する前記第１凹部が形成されているとともに、一端が前記第１凹部の底面で前記電解質部材の１つの前記第１電極に対向し、かつ他端が前記第１凹部の底面で前記電解質部材の他の１つの前記第１電極に対向する第６配線導体が形成されていることを特徴とする請求項１記載の電子機器。
【請求項５】
前記基体は、前記電解質部材を複数個収容する前記第１凹部が形成されているとともに、一端が前記第１凹部の底面で前記電解質部材の１つの前記第１電極に対向し、かつ他端が前記基体の前記蓋体が取着される上面に導出された第７配線導体と、一端が前記蓋体の下面で前記電解質部材の他の１つの前記第２電極に対向し、かつ他端が前記蓋体の前記基体の前記上面に取着される下面に前記第７配線導体の他端と対向するように導出された第８配線導体が形成されていることを特徴とする請求項１記載の電子機器。
【請求項６】
電源として燃料電池を有している電子機器であって、前記燃料電池は、板状の固体電解質の下側主面に第１電極および上側主面に第２電極がそれぞれ前記固体電解質が周囲に張り出すように形成された電解質部材の少なくとも前記第１電極を内部に収容するとともに外周部に前記固体電解質の張出部を載置する載置部を有する凹部を上面に有する多層セラミックスから成る基体と、前記電解質部材の前記下側主面に対向する前記凹部の底面から前記基体の外面にかけて形成された第１流体流路と、前記電解質部材の前記第１電極に対向する前記凹部の底面に一端が配設され、他端が前記基体の外面に導出された第１配線導体と、前記基体の前記凹部の周囲の上面に前記凹部を覆って取着される、前記凹部を気密に封止する蓋体と、前記電解質部材の前記上側主面に対向する前記蓋体の下面から前記蓋体の外面にかけて形成された第２流体流路と、前記電解質部材の前記第２電極に対向する前記蓋体の下面に一端が配設され、他端が前記蓋体の外面に導出された第２配線導体と、前記基体および前記蓋体の少なくとも一方に形成された外部接続用端子とを具備する燃料電池用容器を有しており、該燃料電池用容器の前記載置部に前記電解質部材を載置して、該電解質部材の前記下側および上側主面を前記第１および第２流体流路との間でそれぞれの流体がやりとり可能なように配置するとともに、前記第１および第２電極を前記第１および第２配線導体にそれぞれ電気的に接続するとともに前記外部接続用端子にそれぞれ電気的に接続し、前記基体の前記凹部の周囲の上面に前記凹部を覆って前記蓋体を取着して成ることを特徴とする電子機器。
【請求項７】
前記基体は、前記凹部が複数個形成されているとともに、一端が前記凹部の１つの底面で前記電解質部材の前記第１電極に対向し、かつ他端が前記凹部の他の１つの底面で前記電解質部材の前記第１電極に対向する第３配線導体が形成されていることを特徴とする請求項６記載の電子機器。
【請求項８】
前記基体は、前記凹部が複数個形成されているとともに、一端が前記凹部の１つの底面で前記電解質部材の前記第１電極に対向し、かつ他端が前記基体の前記蓋体が取着される上面に導出された第４配線導体と、一端が前記蓋体の下面で前記凹部の他の１つの前記電解質部材の前記第２電極に対向し、かつ他端が前記蓋体の前記基体の前記上面に取得される下面に前記第４配線導体の他端と対向するように導出された第５配線導体が形成されていることを特徴とする請求項６記載の電子機器。
【請求項９】
前記基体は、前記電解質部材を複数個収容する前記凹部が形成されているとともに、一端が前記凹部の底面で前記電解質部材の１つの前記第１電極に対向し、かつ他端が前記凹部の底面で前記電解質部材の他の１つの前記第１電極に対向する第６配線導体が形成されていることを特徴とする請求項６記載の電子機器。
【請求項１０】
前記基体は、前記電解質部材を複数個収容する前記凹部が形成されているとともに、一端が前記凹部の底面で前記電解質部材の１つの前記第１電極に対向し、かつ他端が前記基体の前記蓋体が取着される上面に導出された第７配線導体と、一端が前記蓋体の下面で前記電解質部材の他の１つの前記第２電極に対向し、かつ他端が前記蓋体の前記基体の前記上面に取着される下面に前記第７配線導体の他端と対向するように導出された第８配線導体が形成されていることを特徴とする請求項６記載の電子機器。
【請求項１１】
前記第１配線導体および前記第２配線導体の少なくとも一方は、前記第１凹部の底面の前記第１流体流路の開口の周辺または前記蓋体の下面の前記第２流体流路の開口の周辺に、前記第１電極または前記第２電極に当接するように形成されていることを特徴とする請求項１乃至請求項５のいずれかに記載の電子機器。
【請求項１２】
前記第１配線導体および前記第２配線導体の少なくとも一方は、前記凹部の底面の前記第１流体流路の開口の周辺または前記蓋体の下面の前記第２流体流路の開口の周辺に、前記第１電極または前記第２電極に当接するように形成されていることを特徴とする請求項６乃至請求項１０のいずれかに記載の電子機器。
【請求項１３】
前記基体は、内部回路が形成されていることを特徴とする請求項１乃至請求項１２のいずれかに記載の電子機器。
【請求項１４】
前記基体は、その表面に前記内部回路に電気的に接続された電子部品が設けられていることを特徴とする請求項１３記載の電子機器。
【請求項１５】
前記第１および第２流体流路の少なくとも一方の途中に圧電ポンプが設けられていることを特徴とする請求項１乃至請求項１４のいずれかに記載の電子機器。
【発明の詳細な説明】
【０００１】
【発明の属する技術分野】
本発明は、電源として燃料電池を有する電子機器であって、電解質部材を収容可能な多層セラミックスから成る小型で高信頼性の燃料電池を有する電子機器に関するものである。
【０００２】
【従来の技術】
近年、携帯電子機器の機能が増えるに伴い、消費電力は増加する傾向にある。また、２次電池では一定量の電力使用後には充電する必要があり、充電設備と充電時間が必要となるために、携帯電子機器の長時間駆動には多くの問題が残されている。
【０００３】
こうした要求により、小型の燃料電池を電源として備えた携帯電話，ノート型ＰＣ（パーソナルコンピュータ）等の電子機器が提案されている。燃料電池は、燃料と酸素の供給を継続している限り連続して使用可能である。小型の燃料電池としては、固体高分子電解質形燃料電池（Ｐｏｌｙｍｅｒ  Ｅｌｅｃｔｒｏｌｙｔｅ  Ｆｕｅｌ  Ｃｅｌｌ：以下、ＰＥＦＣと記す）や直接形メタノール燃料電池（Ｄｉｒｅｃｔ  Ｍｅｔｈａｎｏｌ  Ｆｕｅｌ  Ｃｅｌｌ：以下、ＤＭＦＣと記す）といったものが知られている。
【０００４】
これらの燃料電池は、作動温度が８０〜１００℃程度という低温であり、
（１）出力密度が高く、小型化，軽量化が可能である、
（２）電解質が腐食性でなく、しかも作動温度が低いため、耐食性の面から電池構成材料の制約が少ないので、コスト低減が容易である、
（３）他の燃料電池と比較し、常温で起動できるため、起動時間が短い、
といった優れた特長を有している。このためＰＥＦＣやＤＭＦＣは、以上のような特長を活かして、車両用の駆動電源や家庭用のコジェネレーションシステム等への適用ばかりでなく、携帯電話，ＰＤＡ（Ｐｅｒｓｏｎａｌ  Ｄｉｇｉｔａｌ  Ａｓｓｉｓｔａｎｔｓ），ノート型ＰＣ（パーソナルコンピュータ），デジタルカメラやビデオ等の出力が数Ｗ〜数十Ｗの携帯電子機器用の電源としての用途が考えられてきている。
【０００５】
ＰＥＦＣやＤＭＦＣは、大別して、例えば、白金や白金−ルテニウム等の触媒微粒子が付着した炭素電極から成る燃料極（カソード）と、白金等の触媒微粒子が付着した炭素電極から成る空気極（アノード）と、燃料極と空気極との間に介装されたフィルム状の電解質部材（以下、電解質部材と記す）とを有して構成されている。ＤＭＦＣの場合、ここで、燃料極には、メタノール（ＣＨ３ＯＨ）水溶液が供給され、一方、空気極には、大気中の（Ｏ２）が供給されることにより、電気化学反応により所定の電気エネルギーが生成（発電）され、負荷に対する駆動電源（電圧／電流）となる電気エネルギーが生成される。
【０００６】
具体的には、燃料極にメタノール（ＣＨ３ＯＨ）水溶液が供給されると、次の化学反応式（１）に示すように、上記触媒により電子（ｅ−）が分離した水素イオン（プロトン；Ｈ＋）が発生し、電解質部材を介して空気極側に通過するとともに、燃料極を構成する炭素電極により電子（ｅ−）が取り出されて負荷に供給される。
【０００７】
ＣＨ３ＯＨ＋Ｈ２Ｏ→  ＣＯ２＋６Ｈ＋＋６ｅ−  ・・・（１）
一方、空気極に空気が供給されると、次の化学反応式（２）に示すように、上記触媒により負荷を経由した電子（ｅ−）と電解質部材を通過した水素イオン（Ｈ＋）と空気中の酸素ガス（Ｏ２）とが反応して水（Ｈ２Ｏ）が生成される。
【０００８】
６Ｈ＋＋３／２Ｏ２＋６ｅ−  →  ３Ｈ２Ｏ  ・・・（２）
このような一連の電気化学反応（式（１）および式（２））は、概ね室温〜１００℃の比較的低温の温度条件で進行し、電力以外の副生成物は基本的に水（Ｈ２Ｏ）のみとなる。
【０００９】
電解質部材を構成するイオン導電膜（交換膜）は、スルホン酸基を持つポリスチレン系の陽イオン交換膜、フルオロカーボンスルホン酸とポリビニリデンフルオライドとの混合膜、フルオロカーボンマトリックスにトリフルオロエチレンをグラフト化したもの等が知られており、最近ではパーフルオロカーボンスルホン酸膜（例えばナフィオン：商品名、デュポン社製）等が用いられている。
【００１０】
図１２に、従来の燃料電池（ＰＥＦＣ）の構成を断面図で示す。同図において、２０１はＰＥＦＣ、２０３は電解質部材、２０４および２０５は電解質部材を挟持するように電解質部材２０３上に配置され、ガス拡散層および触媒層としての機能を有する一対の多孔質電極、すなわち燃料極および空気極であり、２０６はガスセパレータ、２０８は燃料流路、２０９は空気流路である。
【００１１】
ガスセパレータ２０６は、ガスセパレータ２０６の外形を形成する積層部およびガス流入出枠と、燃料流路２０８と空気流路２０９とを分離するセパレータ部と、このセパレータ部を貫通するように設けられた、電解質部材２０３の燃料極２０４および空気極２０５に対応するように配置された電極とから構成されている。電解質部材２０３の燃料極２０４、空気極２０５が電気的に直列および／または並列に接続されるようにガスセパレータ２０６を介して多数積層して電池の最小単位である燃料電池スタックとし、この燃料電池スタックを、箱体に収納したものが一般的なＰＥＦＣ本体である。
【００１２】
ガスセパレータ２０６に形成された燃料流路２０８を通して燃料極２０４には改質器から水蒸気を含む燃料ガス（水素に富むガス）が供給され、また、空気極２０５には空気流路２０９を通して大気中から酸化剤ガスとして空気が供給され、電解質部材２０３での化学反応により発電される。
【００１３】
【特許文献１】
特開２００１−２６６９１０号公報
【００１４】
【特許文献２】
特表２００１−５０７５０１号公報
【００１５】
【発明が解決しようとする課題】
しかしながら、このような高電圧，高容量の電池として従来より提案され開発されている燃料電池２０１は、スタック構造を有し構成要素が大面積化された大重量で大型の電池であり、小型電池としての燃料電池の利用は、従来はほとんど考えられていなかった。
【００１６】
すなわち、このような燃料電池２０１における従来のガスセパレータ２０６には、これを用いて電解質部材２０３を積層した積層体において、電解質部材２０３の側面が外部に露出していることによって、携帯時の落下等により損傷を受けやすく、燃料電池２０１全体の機械的信頼性を確保し難いという問題点があった。
【００１７】
また、携帯電子機器に燃料電池２０１を搭載するためには、従来の大型燃料とは異なった、コンパクト性，簡便性，安全性に優れる燃料電池用容器が必要になる。すなわち、汎用の化学電池のようなポータブル電源として適用するためには、作動温度までの温度上昇を短時間化するために、また熱容量を小さくするために、燃料電池用容器を小型化，低背化する必要があるが、従来の燃料電池２０１では熱容量の割合の大部分を占めるガスセパレータ２０６は、特にカーボン板の表面に切削加工で流路形成されるガスセパレータ２０６の場合など、薄肉化すると脆くなるため、数ｍｍの厚みが必要である。このため、小型化，低背化が困難であるという問題点もあった。
【００１８】
さらに、燃料電池２０１の出力電圧は、電解質部材２０３の表裏面の各電極２０４，２０５に供給されるガスの分圧によって決まる。すなわち、電解質部材２０３に供給された燃料ガスがガス流路２０８を進んで発電反応において消費されると、燃料極２０４の面上の燃料ガスの分圧が下がって出力電圧が下がる。これと同様に、空気も空気流路２０９を進んで消費されると、空気極２０５の面上の酸素の分圧が下がって出力電圧が下がる。従って、燃料ガスを均等に供給する必要があるが、従来の燃料電池２０１のガスセパレータ２０６は、特にカーボン板の表面に切削加工により流路を形成していることから、低背化したときには流路の溝が狭くなるため、流路抵抗が大きくなり、均一な燃料供給が困難であるという問題点もあった。
【００１９】
また、複数の電解質部材２０３とその対向する燃料極２０４，空気極２０５とガスセパレータ２０６との組み合わせが、任意に効率よく直列接続または並列接続されて、全体の出力電圧および出力電流が調整されるようにする必要があるが、従来の燃料電池２０１では電解質部材２０３を挟む燃料極および空気極から電気を取り出すためには、外部に引き出し接続する方法か、もしくはガスセパレータ２０６を導電性材料として重ね合わせ直列接続する方法しかなく、携帯電子機器に搭載して使用する際には、限られたスペースにおいて、電子機器の主となる電子回路を形成するためのマザーボード等へ接続するのが困難であるという問題点もあった。
【００２０】
また、上記従来の燃料電池２０１を用いた電子機器においては、電解質部材２０３で発生した電気を電子機器の主となる電子回路を形成するためのマザーボード等に取り出す集電板や、これと燃料電池を収納する容器との絶縁を行なうためのシリコンゴム等の絶縁材料や、これらガスセパレータ２０６、電解質部材２０３、集電板および絶縁材料を燃料電池容器に取着するためのネジおよび締め付け治具（図示せず）など部品点数が多く、小型化や低背化が困難であるという問題点があった。
【００２１】
全体の出力電圧および出力電流が調整されるようにする手法としては、電解質部材２０３とその対向する燃料極２０４，空気極２０５とガスセパレータ２０６との組み合わせを、複数個、同一平面上に配列するという手法が検討されている。しかし、このように同一平面上に配列した場合、従来多用されているスタック構造に比べて低背化には有効であるが、隣接する電解質部材間の絶縁を確保するための絶縁部材が新たに必要となりさらに部品点数が増加するという不具合を誘発してしまう。また、流路加工は、機械加工やモールド成型にて行うため、隣接する燃料電池セル間をつなぐような平面方向への内層流路加工ができない、導電材料を使用しているため、ガスセパレータ２０６に電子部品等を搭載し、電気回路等の機能を集積することができない等の問題点もあった。
【００２２】
また、このような燃料電池を携帯電子機器に装着する際には、燃料電池に電子機器の主となる電子回路を形成するためのマザーボード等との接続用の端子を形成するとともに、携帯電子機器の側にも、その接続用の端子に対応した端子を設けておく必要があるが、その構造は携帯電子機器側の端子も燃料電池容器側の端子もともに比較的複雑な設計が必要である、という問題があった。さらに携帯電子機器の使用，携帯等の際の利便性の観点から燃料電池を着脱が自在なカートリッジタイプとする場合には、このような自在な着脱を可能とするような端子の工夫が必要になるため、より困難が生ずるという問題点があった。
【００２３】
さらに、燃料極側に供給される燃料は発電に伴い消費され、その濃度が低下すると発電効率も低下する。従って、燃料電池において発電効率を増加させるためには、空気極に酸素を強制的に流通させて供給する酸素供給機構および燃料極に燃料を強制的に流通させて供給する燃料供給機構が必要である。しかし、それら強制的な酸素および燃料の供給機構は嵩高くなるため、燃料電池全体も大きくなり、携帯用電子機器用の小型電源として用いるには、不適当であった。
【００２４】
本発明は以上のような従来の技術の問題点に鑑み完成されたものであり、その目的は、燃料の均等供給，高効率な電気接続を行なうことができる信頼性のある燃料電池を用いた、小型，低背で、かつ高機能で安定して使用することが可能な電子機器を提供することにある。
【００２５】
【課題を解決するための手段】
本発明の第１の電子機器は、電源として燃料電池を有している電子機器であって、燃料電池は、板状の固体電解質の下側主面に第１電極および上側主面に第２電極がそれぞれ固体電解質が周囲に張り出すように形成された電解質部材の少なくとも第１電極を内部に収容するとともに外周部に固体電解質の張出部を載置する載置部を有する第１凹部を上面に有する多層セラミックスから成る基体と、電解質部材の下側主面に対向する第１凹部の底面から基体の外面にかけて形成された第１流体流路と、電解質部材の第１電極に対向する第１凹部の底面に一端が配設され、他端が基体の外面に導出された第１配線導体と、基体の第１凹部の周囲の上面に第１凹部を覆って取着される、第２電極を収容するとともに外周部に張出部に当接して載置部との間に張出部を挟持する当接部を有する第２凹部を下面に有する、第１凹部を気密に封止する蓋体と、電解質部材の上側主面に対向する蓋体の下面から蓋体の外面にかけて形成された第２流体流路と、電解質部材の第２電極に対向する蓋体の下面に一端が配設され、他端が蓋体の外面に導出された第２配線導体と、基体および蓋体の少なくとも一方に形成された外部接続用端子とを具備する燃料電池用容器を有しており、燃料電池用容器の載置部に電解質部材を載置して、電解質部材の下側および上側主面を第１および第２流体流路との間でそれぞれの流体がやりとり可能なように配置するとともに、第１および第２電極を第１および第２配線導体にそれぞれ電気的に接続するとともに外部接続用端子にそれぞれ電気的に接続し、基体の第１凹部の周囲の上面に第１凹部を覆って蓋体を取着して成ることを特徴とするものである。
【００２６】
また、本発明の第２の電子機器は、基体は、第１凹部が複数個形成されているとともに、一端が第１凹部の１つの底面で電解質部材の第１電極に対向し、かつ他端が第１凹部の他の１つの底面で電解質部材の第１電極に対向する第３配線導体が形成されていることを特徴とするものである。
【００２７】
また、本発明の第３の電子機器は、基体は、第１凹部が複数個形成されているとともに、一端が第１凹部の１つの底面で電解質部材の第１電極に対向し、かつ他端が基体の蓋体が取着される上面に導出された第４配線導体と、一端が蓋体の下面で第１凹部の他の１つの電解質部材の第２電極に対向し、かつ他端が蓋体の基体の上面に取得される下面に第４配線導体の他端と対向するように導出された第５配線導体が形成されていることを特徴とするものである。
【００２８】
また、本発明の第４の電子機器は、基体は、電解質部材を複数個収容する第１凹部が形成されているとともに、一端が第１凹部の底面で電解質部材の１つの第１電極に対向し、かつ他端が第１凹部の底面で電解質部材の他の１つの第１電極に対向する第６配線導体が形成されていることを特徴とするものである。
【００２９】
また、本発明の第５の電子機器は、基体は、電解質部材を複数個収容する第１凹部が形成されているとともに、一端が第１凹部の底面で電解質部材の１つの第１電極に対向し、かつ他端が基体の蓋体が取着される上面に導出された第７配線導体と、一端が蓋体の下面で電解質部材の他の１つの第２電極に対向し、かつ他端が蓋体の基体の上面に取着される下面に第７配線導体の他端と対向するように導出された第８配線導体が形成されていることを特徴とするものである。
【００３０】
また、本発明の第６の電子機器は、電源として燃料電池を有している電子機器であって、燃料電池は、板状の固体電解質の下側主面に第１電極および上側主面に第２電極がそれぞれ固体電解質が周囲に張り出すように形成された電解質部材の少なくとも第１電極を内部に収容するとともに外周部に固体電解質の張出部を載置する載置部を有する凹部を上面に有する多層セラミックスから成る基体と、電解質部材の下側主面に対向する凹部の底面から基体の外面にかけて形成された第１流体流路と、電解質部材の第１電極に対向する凹部の底面に一端が配設され、他端が基体の外面に導出された第１配線導体と、基体の凹部の周囲の上面に凹部を覆って取着される、凹部を気密に封止する蓋体と、電解質部材の上側主面に対向する蓋体の下面から蓋体の外面にかけて形成された第２流体流路と、電解質部材の第２電極に対向する蓋体の下面に一端が配設され、他端が蓋体の外面に導出された第２配線導体と、基体および蓋体の少なくとも一方に形成された外部接続用端子とを具備する燃料電池用容器を有しており、燃料電池用容器の載置部に電解質部材を載置して、電解質部材の下側および上側主面を第１および第２流体流路との間でそれぞれの流体がやりとり可能なように配置するとともに、第１および第２電極を第１および第２配線導体にそれぞれ電気的に接続するとともに外部接続用端子にそれぞれ電気的に接続し、基体の凹部の周囲の上面に凹部を覆って蓋体を取着して成ることを特徴とするものである。
【００３１】
また、本発明の第７の電子機器は、基体は、凹部が複数個形成されているとともに、一端が凹部の１つの底面で電解質部材の第１電極に対向し、かつ他端が凹部の他の１つの底面で電解質部材の第１電極に対向する第３配線導体が形成されていることを特徴とするものである。
【００３２】
また、本発明の第８の電子機器は、基体は、凹部が複数個形成されているとともに、一端が凹部の１つの底面で電解質部材の第１電極に対向し、かつ他端が基体の蓋体が取着される上面に導出された第４配線導体と、一端が蓋体の下面で凹部の他の１つの電解質部材の第２電極に対向し、かつ他端が蓋体の基体の上面に取得される下面に第４配線導体の他端と対向するように導出された第５配線導体が形成されていることを特徴とするものである。
【００３３】
また、本発明の第９の電子機器は、基体は、電解質部材を複数個収容する凹部が形成されているとともに、一端が凹部の底面で電解質部材の１つの第１電極に対向し、かつ他端が凹部の底面で電解質部材の他の１つの第１電極に対向する第６配線導体が形成されていることを特徴とするものである。
【００３４】
また、本発明の第１０の電子機器は、基体は、電解質部材を複数個収容する凹部が形成されているとともに、一端が凹部の底面で電解質部材の１つの第１電極に対向し、かつ他端が基体の蓋体が取着される上面に導出された第７配線導体と、一端が蓋体の下面で電解質部材の他の１つの第２電極に対向し、かつ他端が蓋体の基体の上面に取着される下面に第７配線導体の他端と対向するように導出された第８配線導体が形成されていることを特徴とするものである。
【００３５】
また、本発明の第１から第５の電子機器は、第１配線導体および第２配線導体の少なくとも一方は、第１凹部の底面の第１流体流路の開口の周辺または蓋体の下面の第２流体流路の開口の周辺に、第１電極または第２電極に当接するように形成されていることを特徴とするものである。
【００３６】
また、本発明の第６から第１０の電子機器は、第１配線導体および第２配線導体の少なくとも一方は、凹部の底面の第１流体流路の開口の周辺または蓋体の下面の第２流体流路の開口の周辺に、第１電極または第２電極に当接するように形成されていることを特徴とするものである。
【００３７】
また、本発明の第１から第１０の電子機器は、基体は、内部回路が形成されていることを特徴とするものである。
【００３８】
また、本発明の第１から第１０の電子機器は、基体は、その表面に内部回路に電気的に接続された電子部品が設けられていることを特徴とするものである。
【００３９】
また、本発明の第１から第１０の電子機器は、第１および第２流体流路の少なくとも一方の途中に圧電ポンプが設けられていることを特徴とするものである。
【００４０】
本発明の第１から第１０の電子機器によれば、下側および上側主面にそれぞれ第１および第２電極を有する電解質部材を収容する第１凹部または凹部を上面に有する多層セラミックスから成る基体と、この基体の第１凹部または凹部の周囲の上面に第１凹部または凹部を覆って取着される、第１凹部または凹部を気密に封止する蓋体とを具備していることから、燃料電池用容器内を気密に封止することで、気体等の流体の漏れがなく、この容器の他にパッケージ等の容器を設ける必要がないので、効率良く、安全に動作させることができる、高機能かつ安定して使用することが可能な電子機器を得ることができるとともに、小型，低背化にも有効なものとなる。
【００４１】
また、第１凹部または凹部を上面に有する多層セラミックスから成る基体とこの第１凹部または凹部を封止する蓋体とで形成される箱体内に複数の電解質部材を収納して燃料電池とすることができるので、電解質部材が容器の外部に露出して損傷を受けたりすることがなく、燃料電池全体としての機械的信頼性が向上する。よって、燃料電池の保護部材が不要なため、小型，低背な電子機器を提供することができる。
【００４２】
また、第１凹部または凹部および蓋体で構成される容器内部に一端が配設された第１および第２配線導体の他には電解質部材自体に無用な電気的接触をしないで済むので、信頼性および安全性の高い燃料電池を得ることができ、長期信頼性および安全性の高い電子機器を提供することができる。
【００４３】
また、このような燃料電池は、基体および蓋体の少なくとも一方に、外部接続用端子（正極端子および負極端子）を具備しているため、電子機器の回路基板に容易に電気的接続が可能となり、着脱が自在である。そのため、特殊な安全設備を備えた施設等によることなく、容易に燃料電池を新しいものと取り替えることができ、電子機器の利便性を高いものとすることができる。
【００４４】
さらに、燃料電池用容器の構成材料として多層セラミックスを用いたことにより、腐食性を考慮することなく各種のガスや液体を使用することができ、電力の供給効率の向上が容易である。また、多層セラミックスを形成する各層のセラミックスに、従来周知のメタライズ法により自在に配線導体を形成することができるため、燃料電池の電気配線が自由に可能であることから、複数セルの直列，並列接続が容易で、電子機器の小型、低背化、および軽量化を飛躍的に向上させることができる。すなわち、本発明の第２および第７の電子機器によれば、基体に形成された、一端が第１凹部または凹部の１つの底面で電解質部材の第１電極に対向するとともに、他端が第１凹部または凹部の他の１つの底面で電解質部材の第１電極に対向する第３配線導体とを具備していることから、複数個の電解質部材を電気的に接続することでそれらを並列接続することが可能となる。その結果、燃料電池全体の出力電流の調整ができるため、電解質部材にて電気化学的に生成された電気を良好な状態で外部に取り出すことができ、長期にわたって電流が安定した、信頼性に優れる電子機器を提供することができる。
【００４５】
また、本発明の第３および第８の電子機器によれば、基体に形成された、一端が第１凹部または凹部の１つの底面で電解質部材の第１電極に対向し、かつ他端が基体の蓋体が取着される上面に導出された第４配線導体と、一端が蓋体の下面で第１凹部または凹部の他の１つの電解質部材の第２電極に対向し、かつ他端が蓋体の基体の上面に取得される下面に第４配線導体の他端と対向するように導出された第５配線導体とを具備していることから、複数個の電解質部材を電気的に接続することでそれらを直列接続することが可能となる。その結果、一つ一つの電解質部材の発電では微小電圧であっても、直列接続により合計の電圧の調整ができるため、電解質部材にて電気化学的に生成された電気を良好な状態で外部に取り出すことができ、長期にわたって電圧が安定した、信頼性に優れる電子機器を提供することができる。
【００４６】
また、本発明の第４および第９の電子機器によれば、基体に形成された、一端が第１凹部または凹部の底面で電解質部材の１つの第１電極に対向するとともに、他端が第１凹部または凹部の底面で電解質部材の他の１つの第１電極に対向する第６配線導体とを具備していることから、複数個の電解質部材を電気的に接続することでそれらを並列接続することが可能となる。その結果、燃料電池全体の出力電流の調整ができるため、電解質部材にて電気化学的に生成された電気を良好な状態で外部に取り出すことができ、長期にわたって電流が安定した、信頼性に優れる電子機器を提供することができる。
【００４７】
また、本発明の第５および第１０の電子機器によれば、基体に形成された、一端が第１凹部または凹部の底面で電解質部材の１つの第１電極に対向し、かつ他端が基体の蓋体が取着される上面に導出された第７配線導体と、一端が蓋体の下面で電解質部材の他の１つの第２電極に対向し、かつ他端が蓋体の基体の上面に取得される下面に第７配線導体の他端と対向するように導出された第８配線導体とを具備している燃料電池を用いたことから、このような燃料電池において、複数個の電解質部材を電気的に接続することでそれらを直列接続することが可能となる。その結果、一つ一つの電解質部材の発電では微小電圧であっても、直列接続により合計の電圧の調整ができるため、電解質部材にて電気化学的に生成された電気を良好な状態で外部に取り出すことが可能となり、長期にわたって電圧が安定した、信頼性に優れる電子機器を提供することができる。
【００４８】
また、このような燃料電池において、電解質部材の下側主面に対向する第１凹部または凹部の底面から基体の外面にかけて形成された第１流体流路と、電解質部材の上側主面に対向する蓋体の下面から蓋体の外面にかけて形成された第２流体流路とを具備していることから、複数のそれぞれの流体流路は、電解質部材を挟んで、それぞれ対向する内壁面に設けられているため、電解質部材へ供給される流体の均一供給性を向上させることができる。このような流体経路によれば、流体が電解質部材に対して垂直に流れるため、例えば、流体が水素ガス、または、メタノール水溶液等と空気（酸素）ガスとの場合に、電解質部材が下側および上側主面にそれぞれ有する第１および第２電極に供給される各ガス分圧が下がることはなく、所定の安定した出力電圧を得ることができるという効果がある。
【００４９】
さらに、供給される流体の圧力、例えばガス分圧が安定するため、燃料電池用容器の内部温度の分布が均一化され、その結果、電解質部材に生じる熱応力を抑制することができ、燃料電池の信頼性を向上させることができるため、より信頼性に優れた電子機器を提供することができる。
【００５０】
さらにまた、それぞれの流体流路は基体と蓋体とに形成されるため、各流路の密閉性に優れ、また固体電解質の張出部を基体上面の第１凹部または凹部の外周部に設けられた載置部に載置するため、電解質部材により第１流体流路と第２流体流路とが隔絶される構造となり、２種類の原料流体（例えば酸素ガスと水素ガスもしくはメタノール水溶液等）が混合してしまうことによって燃料電池としての機能が発現されなくなるようなことがなく、また、可燃性の流体が高温で混合された後に引火，爆発を起こす危険性もないので、安全な電子機器を提供することができる。
【００５１】
また、本発明の第１から第１０の電子機器によれば、燃料電池用容器の載置部に電解質部材を載置して、この電解質部材の下側および上側主面を第１および第２流体流路との間でそれぞれの流体がやりとり可能なように配置するとともに、第１および第２電極を第１および第２配線導体、ならびに第１〜第３配線導体、ならびに第１，第２，第４および第５配線導体、ならびに第１，第２および第６配線導体、ならびに第１，第２，第７および第８配線導体にそれぞれ電気的に接続するとともに外部接続用端子にそれぞれ電気的に接続し、基体の第１凹部または凹部の周囲の上面に第１凹部または凹部を覆って蓋体を取着して成ることから、以上のような本発明の燃料電池用容器による特長を備えた、小型，堅牢で、燃料の均等供給，高効率な電気接続を行なうことができる信頼性のある燃料電池を用いた、低背化、高機能化、高効率化が可能な電子機器を得ることができる。
【００５２】
また、本発明の第１から第１０の電子機器によれば、第１配線導体および第２配線導体の少なくとも一方は、第１凹部または凹部の底面の第１流体流路の開口の周辺または蓋体の下面の第２流体流路の開口の周辺に、電解質部材の第１電極または第２電極に当接するように形成されたものとしたことにより、電解質部材の第１電極または第２電極の第１流体流路または第２流体流路の開口を除く部位の全域と、第１配線導体または第２配線導体とを直接接触させて電気的に接続することができる。そのため、電解質部材の第１電極と第１配線導体との接触面積および第２電極と第２配線導体との接触面積が大きくとれるとともに直接に接続することができ、電気抵抗の増大化および接触不良を有効に抑えることができるので、高い発電効率を有した電子機器を提供することができる。
【００５３】
また、本発明の第１から第１０の電子機器によれば、基体が多層セラミックスから成るため、内部に位置するセラミック層の表面にメタライズ法等により金属層を種々の形状，電気特性で形成することができるので、基体の内部に、抵抗やキャパシタンスやインダクタンス等として機能する電子回路素子を形成することができる。従って、例えば、燃料電池に平行して、大容量のキャパシタを形成することで、燃料電池から出力される電流が不足する状態となった場合、不足する電流分が補填されて目標出力電流に応じた電流供給を確保することが可能である。また、昇圧回路を形成することができるため、電子機器に必要な電圧を確保することが可能である。
【００５４】
また、本発明の第１から第１０の電子機器によれば、基体に内部回路が形成されていることから、基体表面において内部回路に電気的に接続された電子部品を搭載することができる。従って、基体表面に搭載した電子部品によって電子機器の機能性を向上させることができる。
【００５５】
また、本発明の第１から第５の電子機器によれば、基体の表面に内部回路に電気的に接続された電子部品が設けられているため、電子部品として、例えばセンサーや制御ＩＣ等を用いて、濃度センサーで流体流路内の燃料の濃度を検知することにより、最適な循環や燃料の希釈、燃料の利用効率の低下を抑制することが可能となる。
【００５６】
また、本発明の第１から第１０の電子機器によれば、第１および第２流体流路の少なくとも一方の途中に圧電ポンプが設けられているために、流体流路に取り付けられた小型の圧電ポンプが、燃料の逆流を防ぎ、その結果反応物質等による未使用燃料の汚染を防ぐことができ、また、滞留していた空気は排出されることから、電子機器の動作に滞留した空気が悪影響を与えることを避けることができる。さらに、燃料が一定に供給され、その結果安定した発電が行われるとともに、燃料供給が円滑に行われるので起動時間を速くすることが可能である。これにより、例えば、燃料電池や燃料カートリッジを新しいものに取り替えた後や燃料を補充した後でも、すぐに電子機器を使用することが可能となり、従来の化学電池等を用いた電子機器と比べても遜色の無い利便性を有する電子機器を提供することができる。
【００５７】
以上のことから、本発明の電子機器によれば、コンパクト性，簡便性，安全性に優れ、流体の均等供給，高効率な電気接続を可能とした燃料電池を用いることにより、小型，低背で、かつ長期にわたり安定して作動させることができ、さらに安全性や利便性に優れた電子機器を提供することができる。
【００５８】
【発明の実施の形態】
次に、本発明を添付図面に基づき詳細に説明する。
【００５９】
図１は、本発明の第１の電子機器に組み込まれる燃料電池について、図６は、本発明の第６の電子機器に組み込まれる燃料電池について、実施の形態の一例を示す断面図である。
【００６０】
これらの図において、１，６１は燃料電池、２，６２は燃料電池用容器、３は電解質部材、４は第１電極、５は第２電極、６，６６は基体、７，６７は蓋体、８は第１流体流路、９は第２流体流路、１０は第１配線導体、１１は第２配線導体、１２は外部接続用端子、１９ａは載置部、１９ｂは当接部、２０は張出部である。なお、図１と図６において、同じ符号は同じ部位であることを示す。なお、これらの電子機器は、携帯電話，ＰＤＡ（Ｐｅｒｓｏｎａｌ  Ｄｉｇｉｔａｌ  Ａｓｓｉｓｔａｎｔｓ），デジタルカメラ等である。その具体例については後述する。
【００６１】
電解質部材３は、例えば、イオン導電膜（交換膜）の両主面上に、下側主面に形成された第１電極４および上側主面に形成された第２電極５にそれぞれ対向するように、アノード側電極となる燃料極（図示せず）と、カソード側電極となる空気極（図示せず）とが一体的に形成されている。そして、電解質部材３で発電された電流を第１電極，第２電極へ流し、外部へ取り出すことができるものとなっている。
【００６２】
このような電解質部材３のイオン導電膜（交換膜）は、パーフルオロカーボンスルフォン酸樹脂、例えば、ナフィオン（商品名、デュポン社製）等のプロトン伝導性のイオン交換樹脂により構成されている。また、燃料極および空気極は、多孔質状態のガス拡散電極であり、多孔質触媒層とガス拡散層の両方の機能を兼ね備えるものである。これらの燃料極および空気極は、白金，パラジウムあるいはこれらの合金等の触媒を担持した導電性微粒子、例えば、カーボン微粒子をポリテトラフルオロエチレンのような疎水性樹脂結合剤により保持した多孔質体によって構成されている。
【００６３】
電解質部材３の下側主面の第１電極４および上側主面の第２電極５は、白金や白金−ルテニウム等の触媒微粒子の付いた炭素電極を電解質部材３上にホットプレスする方法、または、白金や白金−ルテニウム等の触媒微粒子の付いた炭素電極材料と電解質材料を分散した溶液との混合物を電解質上に塗布または転写する方法等により形成される。このとき、電解質の周縁部には第１電極４および第２電極５は形成されず、張出部２０が形成される。
【００６４】
燃料電池用容器２，６２は、第１凹部を有する基体６または凹部を有する基体６６と、第２凹部を有する蓋体７または蓋体６７とから成り、電解質部材３を第１凹部および第２凹部の内部、または凹部の内部に搭載して気密に封止する役割を持ち、酸化アルミニウム（Ａｌ２Ｏ３）質焼結体，ムライト（３Ａｌ２Ｏ３・２ＳｉＯ２）質焼結体，炭化珪素（ＳｉＣ）質焼結体，窒化アルミニウム（ＡｌＮ）質焼結体，窒化珪素（Ｓｉ３Ｎ４）質焼結体，ガラスセラミックス焼結体等のセラミックス材料で形成されている。
【００６５】
燃料電池用容器２，６２は、第１凹部を有する基体６または凹部を有する基体６６と、第２凹部を有する蓋体７または蓋体６７とから成り、基体６，６６の第１凹部または凹部の周囲に第１凹部または凹部を覆って蓋体７，６７を取着することによって第１凹部または凹部を気密に封止するため、半田や銀ろう等の金属接合材料での接合、エポキシ等の樹脂材料での接合、第１凹部または凹部の周囲の上面に鉄合金等で作られたシールリング等を接合してシームウェルドやエレクトロンビームやレーザ等で溶接する方法等によって、蓋体７，６７が基体６，６６に取着される。
【００６６】
基体６，６６および蓋体７，６７は、それぞれ厚みを薄くし、燃料電池１，６１の低背化を可能とするためには、機械的強度である曲げ強度が２００ＭＰａ以上であることが好ましい。
【００６７】
基体６，６６および蓋体７，６７は、相対密度が９５％以上の緻密質からなるセラミックス材料で形成されていることが好ましい。例えば、酸化アルミニウム質焼結体の場合であれば、まず酸化アルミニウム粉末に希土類酸化物粉末や焼結助剤を添加，混合して、酸化アルミニウム質焼結体の原料粉末を調整する。次いで、この酸化アルミニウム質焼結体の原料粉末に有機バインダおよび分散媒を添加，混合してペースト化し、このペーストからドクターブレード法によって、あるいは原料粉末に有機バインダを加え、プレス成形，圧延成形等によって、所定の厚みのグリーンシートを作製する。そして、このグリーンシートに対して、金型による打ち抜き，マイクロドリル，レーザ等により、第１流体流路８および第２流体流路９としての貫通孔、ならびに第１配線導体１０および第２配線導体１１を配設するための貫通孔を形成する。第１流体流路８および第２流体流路９は、金型による打ち抜き，プレス成形等により形成された、表層および内層に有する溝であってもよい。
【００６８】
セラミックス材料に酸化アルミニウム質焼結体を用いる場合には、第１配線導体１０および第２配線導体１１は、酸化を防ぐために、タングステンおよび／またはモリブデンで形成されているのが好ましい。その場合であれば、例えば、無機成分としてタングステンおよび／またはモリブデン粉末１００質量部に対して、Ａｌ２Ｏ３を３〜２０質量部，Ｎｂ２Ｏ５を０．５〜５質量部の割合で添加してなる導体ペーストを調製する。この導体ペーストをグリーンシートの貫通孔内に充填して、貫通導体としてのビア導体を形成する。
【００６９】
これらの導体ペースト中には、基体６，６６や蓋体７，６７のセラミックスとの密着性を高めるために、酸化アルミニウム粉末や基体６，６６や蓋体７，６７を形成するセラミックス成分と同一の組成物粉末を、例えば０．０５〜２体積％の割合で添加することも可能である。
【００７０】
なお、基体６，６６や蓋体７，６７の表層および内層への第１配線導体１０および第２配線導体１１の形成は、貫通孔へ導体ペーストを充填してビア導体を形成する前後あるいはそれと同時に、同様の導体ペーストをグリーンシートに対しスクリーン印刷，グラビア印刷等の方法で所定パターンに印刷塗布して形成する。
【００７１】
その後、導体ペーストを印刷し充填した所定枚数のシート状成形体を位置合わせして積層圧着した後、この積層体を、例えば非酸化性雰囲気中にて、焼成最高温度が１２００〜１５００℃の温度で焼成して、目的とするセラミックスの基体６，６６や蓋体７，６７および第１配線導体１０，第２配線導体１１を得る。
【００７２】
また、基体６，６６や蓋体７，６７の少なくとも一方に、半田やロウ付け等により外部接続用端子１２が接合される。外部接続用端子１２は、電子機器の主となる電子回路を形成するためのマザーボード等と良好な電気接続が行なえる形状であることが望ましい。このような形状としては、例えば、電子機器の主となる電子回路に端子同士を接触や挿入することにより簡単に電気的，機械的に接続することができるような棒状、鉤状、円錐状等のものが用いられる。なお、電子機器の主となる電子回路のうち、このような外部接続用端子１２が接続される部位には、この外部接続用端子に対応した勘合部（穴など）を設けておくことが好ましい。さらに、外部接続用端子１２を基体６，６６や蓋体７，６７の側面に配置することで、電子機器の低背化を行なうことができる。
【００７３】
また、セラミックスから成る基体６，６６や蓋体７，６７は、その厚みを０．２ｍｍ以上とすることが好ましい。厚みが０．２ｍｍ未満では、強度が被覆しがちなため、基体６，６６や蓋体７，６７を取着したときに発生する応力により、基体６，６６や蓋体７，６７に割れ等が発生しやすくなる傾向がある。他方、厚みが５ｍｍを超えると、低背化，低背化が困難となるため、小型携帯機器に搭載する燃料電池としては使用し難くなり、また、熱容量が大きくなるため、電解質部材３の電気化学反応条件に相当する適切な温度にすばやく設定することが困難となる傾向がある。
【００７４】
また、図１に示す本発明の第１の電子機器に組み込まれる燃料電池についての例では、基体６の第１凹部の形状はいわゆる２段凹部であり、蓋体７の第２凹部の形状は１段凹部であるが、これら凹部の形状を逆にして、基体６の第１凹部の形状を１段凹部とし、蓋体７の第２凹部の形状を２段凹部としてもよい。
【００７５】
また、図６に示す本発明の第６の電子機器に組み込まれる燃料電池についての例では、基体６６の凹部の形状はいわゆる２段凹部であり、蓋体６７にも凹部を設けており、その形状は１段凹部であるが、図１３に図６と同様の断面図で示す実施の形態の他の例のように、基体６６’の凹部の形状、および蓋体６７’に設けた凹部の形状を共に１段凹部としたり、図１４に図６と同様の断面図で示す実施の形態の他の例のように、基体６６”の凹部の形状を２段凹部とし、蓋体６７”は凹部を有しない平板形状としたりして、基体６６’，６６”や蓋体６７’，６７”を製造が容易なものにしてもよい。
【００７６】
なお、図１３および図１４において、図６と同様の部位には同じ符号を付してあるが、６１’，６１”は燃料電池、６２’，６２”は燃料電池用容器、３は電解質部材、４は第１電極、５は第２電極、６６’，６６”は基体、６７’，６７”は蓋体、８は第１流体流路、９は第２流体流路、１０は第１配線導体、１１は第２配線導体、１９ａは載置部、２０は張出部である。
【００７７】
第１配線導体１０および第２配線導体１１は、それぞれ電解質部材３の第１電極４および第２電極５に電気的に接続されて、電解質部材３で発電された電流を燃料電池用容器２，６２の外部へ取り出すための導電路として機能する。
【００７８】
第１配線導体１０および第２配線導体１１は、それぞれ電解質部材３の第１電極４および第２電極５に電気的に接続されて、電解質部材３で発電された電流を燃料電池用容器２の外部へ取り出すための導電路として機能する。
【００７９】
第１配線導体１０は、基体６，６６の凹部の底面の電解質部材３の第１電極４に対向する部位に一端が配設され、他端が基体６，６６の外面に導出されて形成されている。このような第１配線導体１０は、前述のように基体６，６６と一体的に形成され、第１配線導体１０を第１電極４に接触させやすいように基体６，６６の凹部の底面より、１０μｍ以上高くするように形成するのが望ましい。この高さを得るためには、前述したように導体ペーストを印刷塗布して形成する際に、印刷条件を厚くするように設定すればよい。
【００８０】
また、第１配線導体１０は第１電極４に対向させて複数配置し、第１配線導体１０による電気損失を減少させることが望ましく、第１配線導体１０の基体６，６６の貫通部についてはφ５０μｍ以上の径とすることが好ましい。
【００８１】
また、第２配線導体１１は、蓋体７，６７の下面の電解質部材３の第２電極５に対向する部位に一端が配設され、他端が蓋体７，６７の外面に導出されて形成されている。このような第２配線導体１１も、第１配線導体１０と同様に、蓋体７，６７と一体的に形成され、第２配線導体１１を第２電極５に接触させやすいように蓋体７，６７の凹部の底面より、１０μｍ以上高くするように形成するのが望ましい。この高さを得るためには、前述したように導体ペーストを印刷塗布して形成する際に、印刷条件を厚くするように設定すればよい。
【００８２】
また、第２配線導体１１は第２電極５に対向させて複数配置し、第２配線導体１１による電気損失を減少させることが望ましく、第２配線導体１１の蓋体７，６７の貫通部についてはφ５０μｍ以上の径とすることが好ましい。
【００８３】
これら第１配線導体１０、第２配線導体１１および外部接続用端子１２には、その露出する表面に良導電性で、かつ、耐蝕性およびロウ材との濡れ性が良好なニッケル、銅、金、白金およびパラジウム等の金属をメッキ法により被着させておくと、第１配線導体１０および第２配線導体１１と、第１配線導体１０、第２配線導体１１および外部接続用端子１２ならびに電子機器の主となる電子回路を形成するためのマザーボード等との電気的接続を良好とすることができる。
【００８４】
そして、これら第１および第２配線導体１０，１１と第１および第２電極４，５との電気的な接続は、基体６，６６と蓋体７，６７とで電解質部材３を挟み込むように収容することによって、第１および第２配線導体１０，１１と第１および第２電極４，５とを圧着接触させて電気的接続させる等の構成によって行なえばよい。
【００８５】
また、第１電極４および第２電極５に対向する基体６，６６の第１凹部または凹部の底面および蓋体７，６７の下面には、それぞれ第１流体流路８および第２流体流路９が配置されており、第１流体流路８は基体６，６６の外面にかけて、また第２流体流路９は蓋体７，６７の外面にかけて形成されている。これら第１および第２流体流路８，９は、それぞれ基体６，６６や蓋体７，６７に形成した貫通孔あるいは溝によって、燃料ガス例えば水素に富む改質ガス、あるいは酸化剤ガス例えば空気等の、電解質部材３へ供給される流体の通路として、あるいは反応で生成される水等の、反応後に電解質部材３から排出される流体の通路として設けられている。
【００８６】
第１流体流路８および第２流体流路９として基体６，６６および蓋体７，６７に形成される貫通孔あるいは溝は、電解質部材３に均等に燃料ガスや酸化剤ガス等の流体が供給されるように、燃料電池１，６１の仕様に応じて、貫通孔（の径や数、あるいは溝の幅，深さ，配置を決めればよい。
【００８７】
燃料電池用容器２，６２および燃料電池１，６１においては、第１流体流路８および第２流体流路９は、好適には、電解質部材３に均一な圧力で流体を流すため、φ０．１ｍｍ以上の穴径とし、間隔を一定にして配置するようにするとよい。
【００８８】
このように電解質部材３の第１電極４が形成された下側主面に対向させて第１流体流路８を、第２電極５が形成された上側主面に対向させて第２流体流路９を形成したことによって、電解質部材３の下側および上側主面と第１および第２流体流路８，９との間で流体がやりとり可能となり、その流体がそれぞれの流路を通して供給あるいは排出されることとなる。そして、例えば流体としてガスを供給する場合であれば、電解質部材３の第１電極４および第２電極５にそれぞれ供給されるガス分圧が下がることをなくすことができ、所定の安定した出力電圧を得ることができる。さらに、供給されるガス分圧が安定するため、燃料電池１，６１の内部圧力が均一化され、その結果、電解質部材３に生じる熱応力を抑制することができるので、燃料電池１，６１の信頼性を向上させることができる。
【００８９】
図１に示すような本発明の第１の電子機器に組み込まれる燃料電池において、電解質部材３は、基体６の上面の第１凹部の外周部に設けられた載置部１９ａと蓋体７の下面の第２凹部の外周部に設けられた当接部１９ｂとで張出部２０を挟持されて収納される。このため電解質部材３により第１流体流路８と第２流体流路９とが隔絶される構造となり、２種類の原料流体（例えば酸素ガスと水素ガスもしくはメタノール水溶液等）が混合してしまうことによって燃料電池としての機能が発現されなくなるようなことがなく、また、可燃性の流体が高温で混合された後に引火，爆発を起こす危険性もないので、安全な燃料電池を提供することができる。また、基体６の載置部１９ａと蓋体７の当接部１９ｂとで電解質部材３の張出部２０を挟持する構造であるので、電解質部材３を容易に燃料電池用容器２の内部に固定して収納することが可能である。
【００９０】
載置部１９ａと当接部１９ｂとの間隔は、電解質部材３を燃料電池用容器２に確実に固定し、また第１流体流路８と第２流体流路９との間の気密性を確実なものとするために、電解質部材３の張出部２０の厚み以下にしておくとよい。また、第１凹部の開口部の寸法を電解質部材３の外形寸法と同じ寸法にしておくと、電解質部材３を基体６に載置する際の位置合わせが容易となるので、好ましいものとなる。さらに、第１流体流路８と第２流体流路９との間の気密性を上げるために、載置部１９ａおよび当接部１９ｂの少なくとも一方と張出部２０との間にシール材を配置してもよい。このシール材が接着性を有するものであれば、電解質部材３の固定がより確実なものとなる。
【００９１】
また、図６に示すような第６の燃料電池用容器６２において電解質部材３は、基体６６の上面の凹部の外周部に設けられた載置部１９ａに載置されて収納される。このため電解質部材３により第１流体流路８と第２流体流路９とが隔絶される構造となり、２種類の原料流体（例えば酸素ガスと水素ガスもしくはメタノール水溶液等）が混合してしまうことによって燃料電池としての機能が発現されなくなるようなことがなく、また、可燃性の流体が高温で混合された後に引火，爆発を起こす危険性もないので、安全な燃料電池を提供することができる。また、厚みの薄い電解質部材３の張出部２０に凹部の深さを合わせる必要がないので、基体６６の製造が容易になる。
【００９２】
電解質部材３の載置部１９ａへの載置は、それらの間にシール性を有する接着剤を介して載置すると、電解質部材３の固定および第１流体流路８と第２流体流路９との間の気密性が確実なものとなるのでよい。このような接着剤としては、フッ素樹脂系，シリコーン系，エチレンプロピレン系，ポリウレタン系，ポリサルファイド系，ブチルゴム系，アクリル系，エポキシ系等のゴム材料や樹脂材料が挙げられる。
【００９３】
以上の構成により、図１，６に示すような、電解質部材３を収納可能な、小型で堅牢な燃料電池用容器２，６２が得られ、高効率制御が可能な本発明の電子機器に組み込まれる燃料電池１，６１が得られる。
【００９４】
次に図２から図５ならびに図７から図１０は、本発明の第２から第５ならびに第７から第１０の電子機器に組み込まれる燃料電池について実施の形態の他の例を示す断面図である。
【００９５】
これらの図において、２１、３１、４１、５１、７１、８１、９１、１０１は燃料電池、２２、３２、４２、５２、７２、８２、９２、１０２は燃料電池用容器、３は電解質部材、４は第１電極、５は第２電極、６，６６は基体、７，６７は蓋体、８は第１流体流路、９は第２流体流路、１０は第１配線導体、１１は第２配線導体、１２は外部接続用端子、１３は第３配線導体、１４は第４配線導体、１５は第５配線導体、１６は第６配線導体、１７は第７配線導体、１８は第８配線導体、１９ａは載置部、１９ｂは当接部、２０は張出部である。
【００９６】
なお、図２から図５ならびに図７から図１０において、図１と同じ符号のものは図１に示す部位と同じであることを示す。
【００９７】
図２および図７の第３配線導体１３は、基体６，６６の複数個の第１凹部または凹部の１つの底面の電解質部材３の第１電極４に対向する部位に一端が配設され、他端が第１凹部または凹部の他の１つの底面で他の電解質部材３の第１電極４に対向する部位に配設されて基体６，６６と一体的に形成されている。また、第３配線導体１３は、その両端を第１電極４に接触させやすいように基体６，６６の第１凹部または凹部の底面より１０μｍ以上高くするように形成するのが望ましい。この高さを得るためには、前述したように導体ペーストを印刷塗布して形成する際に、塗布厚みを厚くするように印刷条件を設定すればよい。また、第３配線導体１３は第１電極４に対向させて複数配置し、第３配線導体１３による電気損失を減少させることが望ましく、第３配線導体１３の基体６，６６の貫通部についてはφ５０μｍ以上の径とすることが好ましい。
【００９８】
図３および図８の第４配線導体１４は、基体６，６６の複数個の第１凹部または凹部の１つの底面で電解質部材３の第１電極４に対向する部位に一端が配設され、他端が基体６，６６の上面の蓋体７，６７が取着される部位に導出されている。また、第５配線導体１５は、蓋体７，６７の下面の、第１凹部または凹部の他の１つの電解質部材３の第２電極５に対向する部位に一端が配設され、他端が蓋体７，６７の下面の基体６，６６の上面に取着される部位に第４配線導体１４の他端と対向するように導出されて形成されている。
【００９９】
このような第４配線導体１４は、第３配線導体１３と同様に、基体６，６６と一体的に形成され、その一端を第１電極４に接触させやすいように基体６，６６の第１凹部または凹部の底面より１０μｍ以上高くするように形成するのが望ましい。この高さを得るためには、前述したように導体ペーストを印刷塗布して形成する際に、塗布厚みを厚くするように印刷条件を設定すればよい。また、第４配線導体１４は第１電極４に対向させて複数配置し、第４配線導体１４による電気損失を減少させることが望ましく、第４配線導体１４の基体６，６６の貫通部についてはφ５０μｍ以上の径とすることが好ましい。
【０１００】
また、第５配線導体１５も、第２配線導体１１と同様に、蓋体７，６７と一体的に形成され、その一端を第２電極５に接触させやすいように蓋体７，６７の下面より１０μｍ以上高くするように形成するのが望ましい。この高さを得るためには、前述したように導体ペーストを印刷塗布して形成する際に、塗布厚みを厚くするように印刷条件を設定すればよい。また、第５配線導体１５も第２電極５に対向させて複数配置し、第５配線導体１５による電気損失を減少させることが望ましく、第５配線導体１５の蓋体７の貫通部についてはφ５０μｍ以上の径とすることが好ましい。
【０１０１】
図４および図９の第６配線導体１６は、基体６，６６の第１凹部または凹部の底面の電解質部材３の１つの第１電極４に対向する部位に一端が配設され、他端が同じ第１凹部または凹部の底面で電解質部材３の他の１つの第１電極４に対向する部位に配設されて基体６，６６と一体的に形成されている。
【０１０２】
第６配線導体１６は、その両端を第１電極４に接触させやすいように基体６，６６の第１凹部または凹部の底面より１０μｍ以上高くするように形成するのが望ましい。この高さを得るためには、前述したように導体ペーストを印刷塗布して形成する際に、塗布厚みを厚くするように印刷条件を設定すればよい。また、第３配線導体１３は第１電極４に対向させて複数配置し、第６配線導体１６による電気損失を減少させることが望ましく、第６配線導体１６の基体６，６６の貫通部についてはφ５０μｍ以上の径とすることが好ましい。
【０１０３】
図５および図１０の第７配線導体１７は、基体６，６６の第１凹部または凹部の底面で複数個の電解質部材３の１つの第１電極４に対向する部位に一端が配設され、他端が基体６，６６の上面の蓋体７，６７が取着される部位に導出されている。また、第８配線導体１８は、蓋体７，６７の下面の複数個の電解質部材３の他の１つの第２電極５に対向する部位に一端が配設され、他端が蓋体７，６７の下面の基体６，６６の上面に取着される部位に第７配線導体１７の他端と対向するように導出されて形成されている。
【０１０４】
このような第７配線導体１７は、第３配線導体１３と同様に、基体６，６６と一体的に形成され、その一端を第１電極４に接触させやすいように基体６，６６の凹部の底面より１０μｍ以上高くするように形成するのが望ましい。この高さを得るためには、前述したように導体ペーストを印刷塗布して形成する際に、塗布厚みを厚くするように印刷条件を設定すればよい。また、第７配線導体１７は第１電極４に対向させて複数配置し、第７配線導体１７による電気損失を減少させることが望ましく、第７配線導体１７の基体６，６６の貫通部についてはφ５０μｍ以上の径とすることが好ましい。
【０１０５】
また、第８配線導体１８も、第２配線導体１１と同様に、蓋体７，６７と一体的に形成され、その一端を第２電極５に接触させやすいように蓋体７，６７の下面より１０μｍ以上高くするように形成するのが望ましい。この高さを得るためには、前述したように導体ペーストを印刷塗布して形成する際に、塗布厚みを厚くするように印刷条件を設定すればよい。また、第８配線導体１８も第２電極５に対向させて複数配置し、第８配線導体１８による電気損失を減少させることが望ましく、第８配線導体１８の蓋体７，６７の貫通部についてはφ５０μｍ以上の径とすることが好ましい。
【０１０６】
図２、図３、図７、図８に示すように、本発明の第２、第３、第７、第８の電子機器に組み込まれる燃料電池用容器２２，３２，７２，８２ならびに第２、第３、第７、第８の燃料電池２１，３１，７１，８１によれば、複数個の第１凹部または凹部を有する基体６，６６の第１凹部または凹部のそれぞれに電解質部材３を収容するとともに、隣接する第１凹部または凹部の端部間にわたって第３配線導体１３、または第４配線導体１４および第５配線導体１５を配設し、複数の電解質部材３の第１電極４の間、または第１電極４と第２電極５との間を電気的に接続し、両端となる位置に配置された電解質部材３に全体としての出力を取り出すように第１配線導体１０および第２配線導体１１をそれぞれに電気的に接続することで、第１〜第３配線導体１０，１１，１３により、ならびに第１，第２，第４および第５配線導体１０，１１，１４，１５により３次元的に自由に配線ができるため、複数個の電解質部材３を任意に直列接続または並列接続することが可能となる。その結果、全体の出力電圧および出力電流を効率よく調整することが可能となるため、複数個の電解質部材３にて電気化学的に生成された電気を良好に外部に取り出すことができる燃料電池となる。
【０１０７】
図４、図５、図９、図１０に示すように、本発明の第４、第５、第９、第１０の電子機器に組み込まれる燃料電池用容器４２，５２，９２，１０２ならびに第４、第５、第９、第１０の燃料電池４１，５１，９１，１０１によれば、基体６，６６の第１凹部または凹部に複数個の電解質部材３を収容するとともに、第６配線導体１６、または第７配線導体１７および第８配線導体１８を配設し、複数の電解質部材３の第１電極４の間、または第１電極４と第２電極５との間を電気的に接続し、両端となる位置に配置された電解質部材３に全体としての出力を取り出すように第１配線導体１０および第２配線導体１１をそれぞれに電気的に接続することで、第１，第２，第６配線導体１０，１１，１６ならびに第１，第２，第７および第８配線導体１０，１１，１７，１８により３次元的に自由に配線ができるため、複数個の電解質部材３を任意に直列接続または並列接続することが可能となる。その結果、全体の出力電圧および出力電流を効率よく調整することが可能となるため、複数個の電解質部材３にて電気化学的に生成された電気を良好に外部に取り出すことができる燃料電池となる。
【０１０８】
本発明の要旨を逸脱しない範囲であれば、種々の変更を行なっても何ら差し支えない。例えば、第１流体流路８や第２流体流路９については、燃料電池全体を低背化するため、基体６，６６または蓋体７，６７の側面からの流入口を設けるようにしてもよい。これによれば、特に携帯電子機器用として小型化を行なう上で有効となる。さらに、第１および第２配線導体１０，１１については、基体６，６６および蓋体７，６７の外面に導出される他端を、それぞれ同じ側の側面に引き出すように配設し、外部接続用端子１２を集約してもよい。これによれば、燃料電池の一方側面に配線や流路等をまとめることができ、小型化と外部への接合部の保護とが容易となり、信頼性の高い設計が可能となるとともに、長期間安定した作動が可能な燃料電池となる。
【０１０９】
次に、上記の燃料電池を電源として有する本発明の電子機器について説明する。
【０１１０】
本発明の電子機器は電源として上記のような燃料電池を有していることから、以下に述べるような種々の効果を有する、小型，低背で、かつ長期にわたり安定して作動させることができ、さらに安全性や利便性に優れたものである。
【０１１１】
本発明の電子機器によれば、電源である燃料電池において、外部接続端子１２（正極端子および負極端子）の部分は、電子機器の回路基板に容易に電気的接続が可能となり着脱が自在なため、例えば、新しい燃料電池との交換が非常に容易であり、利便性が非常に高いものとなっている。
【０１１２】
また、多層セラミックを用いた基体６，６６で構成された燃料電池および燃料電池容器を電源として使用しているため、燃料電池の電気配線が自由に可能であることから、複数の燃料電池セルの直列接続が容易で、電子機器の小型、低背型、および軽量化された電子機器とすることができる。
【０１１３】
さらに、基体６，６６が多層セラミックスから成るため、基体の内部に、抵抗やキャパシタンスやインダクタンスを形成することができる。
【０１１４】
このように、基体６，６６の内部に、例えば、燃料電池に平行して、大容量のキャパシタンスを形成することで、燃料電池から出力される電流が不足する状態となった場合、不足する電流分が補填されて目標出力電流に応じた電流供給を確保することが可能となる。また、同様に、抵抗、キャパシタンスおよびインダクタンスを用いて、昇圧回路を形成することができるため、電子機器に必要な電圧を確保することが可能となる。
【０１１５】
なお、このように基体６，６６の内部に、抵抗やキャパシタンスやインダクタンスを形成する場合には、基体６，６６はガラスセラミックス焼結体から成ることが好ましい。
【０１１６】
例えば、ガラスセラミックス焼結体はガラス成分とフィラー成分とから成るが、ガラス成分としては、例えばＳｉＯ２−Ｂ２Ｏ３系，ＳｉＯ２−Ｂ２Ｏ３−Ａｌ２Ｏ３系，ＳｉＯ２−Ｂ２Ｏ３−Ａｌ２Ｏ３−ＭＯ系（但し、ＭはＣａ，Ｓｒ，Ｍｇ，ＢａまたはＺｎを示す），ＳｉＯ２−Ａｌ２Ｏ３−Ｍ１Ｏ−Ｍ２Ｏ系（但し、Ｍ１およびＭ２は同一または異なってＣａ，Ｓｒ，Ｍｇ，ＢａまたはＺｎを示す），ＳｉＯ２−Ｂ２Ｏ３−Ａｌ２Ｏ３−Ｍ１Ｏ−Ｍ２Ｏ系（但し、Ｍ１およびＭ２は前記と同じである），ＳｉＯ２−Ｂ２Ｏ３−Ｍ３２Ｏ系（但し、Ｍ３はＬｉ，ＮａまたはＫを示す），ＳｉＯ２−Ｂ２Ｏ３−Ａｌ２Ｏ３−Ｍ３２Ｏ系（但し、Ｍ３は前記と同じである），Ｐｂ系ガラス，Ｂｉ系ガラス等が挙げられる。
【０１１７】
また、フィラー成分としては、例えばＡｌ２Ｏ３，ＳｉＯ２，ＺｒＯ２とアルカリ土類金属酸化物との複合酸化物、ＴｉＯ２とアルカリ土類金属酸化物との複合酸化物、Ａｌ２Ｏ３およびＳｉＯ２から選ばれる少なくとも１種を含む複合酸化物（例えばスピネル，ムライト，コージェライト）等が挙げられる。
【０１１８】
また、これらガラスとフィラーとの混合割合は質量比で４０：６０〜９９：１であるのが好ましい。
【０１１９】
ガラスセラミックグリーンシートに配合される有機バインダとしては、従来からセラミックグリーンシートに使用されているものが使用可能であり、例えばアクリル系（アクリル酸，メタクリル酸またはそれらのエステルの単独重合体または共重合体、具体的にはアクリル酸エステル共重合体，メタクリル酸エステル共重合体，アクリル酸エステル−メタクリル酸エステル共重合体等），ポリビニルブチラ−ル系，ポリビニルアルコール系，アクリル−スチレン系，ポリプロピレンカーボネート系，セルロース系等の単独重合体または共重合体が挙げられる。
【０１２０】
ガラスセラミックグリーンシートは、上記ガラス粉末，フィラー粉末，有機バインダに必要に応じて所定量の可塑剤，溶剤（有機溶剤，水等）を加えてスラリーを得て、これをドクターブレード，圧延，カレンダーロール，金型プレス等により厚さ約５０〜５００μｍに成形することによって得られる。
【０１２１】
ガラスセラミックグリーンシートの表面に導体パターンを形成するには、例えば導体材料粉末をペースト化したものをスクリーン印刷法やグラビア印刷法等により印刷するか、あるいは所定パターン形状の金属箔を転写する等の方法が挙げられる。導体材料としては、例えばＡｕ，Ａｇ，Ｐｄ，Ｐｔ等の１種または２種以上が挙げられ、２種以上の場合は混合，合金，コーティング等のいずれの形態であってもよい。
【０１２２】
また、高容量なキャパシタンスを形成する場合には、例えば、チタン酸バリウム等の誘電率が高い無機物粉末から成る層（以下、チタン酸バリウム層という）をガラスセラミックから成る基体の内部に形成する。この場合には、まず、セラミック粉末およびガラス粉末を含有するスラリーを成形して複数のグリーンシートを得て、次に、このグリーンシート上に下部電極層となる金属ペーストを印刷し、次に、この下部電極層上にスクリーン印刷にてチタン酸バリウム等から成る誘電体ペーストを印刷して誘電体層を形成し、さらにこの誘電体層上に金属ペーストを印刷して上部電極層を形成し、これらのグリーンシートを積層し、この積層体を焼成することで製作される。
【０１２３】
また、抵抗を基体内部に形成する場合には、ＲｕＯ２、ＩｒＯ２、ＲｈＯ２、ＳｎＯ２およびＬａＢ６等を主成分とする抵抗体ペーストを第１配線導体１０および第２配線導体１１と同様の方法によって、グリーンシートに対しスクリーン印刷，グラビア印刷等の方法で所定パターンに印刷塗布することによって形成することができる。
【０１２４】
また、燃料電池１の基体６，６６に内部回路が形成されているのがよい。これにより、基体６表面において内部回路に電気的に接続された電子部品を搭載することができる。従って、基体６，６６表面に搭載した電子部品によって電子機器の機能性を向上させることができる。
【０１２５】
また、燃料電池１の基体６，６６の表面に内部回路に電気的に接続された電子部品が設けられているのがよい。これにより、電子部品として、例えばセンサーや制御ＩＣ等を用いて、濃度センサーで流体流路８，９内の燃料の濃度を検知することにより、最適な循環や燃料の希釈、燃料の利用効率の低下を抑制することが可能となる。
【０１２６】
また、燃料電池１において、第１および第２流体流路８，９の少なくとも一方の途中に、例えば、チタン酸ジルコン酸鉛（ＰＺＴ；組成式：Ｐｂ（Ｚｒ，Ｔｉ）Ｏ３）などの圧電材料を用いた圧電ポンプ、いわゆるマイクロポンプが設けられているのがよい。これにより、小型の圧電ポンプが、燃料の逆流を防ぎ、その結果反応物質等による未使用燃料の汚染を防ぐことができ、また、滞留していた空気は排出されることから、電子機器の動作に滞留した空気が悪影響を与えることを避けることができる。さらに、燃料が一定に供給され、その結果安定した発電が行われるとともに、燃料供給が円滑に行われるので起動時間が速くなる。
【０１２７】
圧電ポンプは、流入部、体積可変部および流出部により構成されている。そして、体積可変部は、例えば、第一および第二の流体流路８，９の外側に圧電材料を設けることにより作製でき、印加された電圧に応じて圧電材料が伸縮するのを利用して第一および第二の流体流路８，９の上方の部位を振動させることができる。これにより、第一および第二の流体流路８，９の体積を可変させることができ、ポンプとして機能することができる。
【０１２８】
また、流入部および流出部は、体積可変部に接続された第一および第二の流体流路８，９からなり、体積可変部に燃料を流入および流出させるためのものである。好ましくは、流出部の断面積は流入部の断面積よりも大きくなっているのがよい。これにより、流出部の燃料の圧力が小さくなり、体積可変部をポンプとして機能させたときに、圧力の小さな流出部側に燃料が流れ、一定の方向に良好に燃料を送ることができる。なお、流入部および流出部には燃料の逆流を防止する逆流防止弁が設けられていてもよい。
【０１２９】
このような、圧電ポンプは、圧電材料として有機系のものや無機系のものが用いられ、この圧電材料を、基体６や蓋体７となるセラミックグリーンシートを焼成した後に貼り付けするか、また、ＰＺＴのようなセラミック圧電材料を用いる場合には、セラミックグリーンシートの所定の位置にセラミック圧電材料を取り付けた後、同時に焼成することによって作製できる。
【０１３０】
また、燃料電池１は、容器内部に一端が配設された第１および第２配線導体１０，１１の他には電解質部材３自体に無用な電気的接触をしないで済むので、信頼性および安全性の高いものであることから、信頼性および安全性に優れる。
【０１３１】
以上のことから、本発明の電子機器によれば、コンパクト性，簡便性，安全性に優れ、流体の均等供給，高効率な電気接続により、長期にわたり安定して作動させることができる電子機器を提供することができる。
【０１３２】
そして、本発明の電子機器としては、具体的には携帯電話，ＰＤＡ（Ｐｅｒｓｏｎａｌ  Ｄｉｇｉｔａｌ  Ａｓｓｉｓｔａｎｔｓ），デジタルカメラやビデオカメラ，ゲーム機などの玩具等の携帯型電子機器、また、ノート型ＰＣ（パーソナルコンピュータ）をはじめとするポータブルなプリンター，ファクス，テレビ，通信機器，オーディオビデオ機器，扇風機等の各種家電製品，電動工具等の電子機器がある。
【０１３３】
これらの電子機器は、近年、液晶表示装置等を用いた動画表示の機能を付加したものが使用されるようになってきている。このような動画表示は電源の消費が非常に大きいことから、従来の蓄電池を用いた電子機器では短時間で動作不能となるのに対し、本発明の電子機器は非常に長時間の電源を供給できる燃料電池を搭載しており、動画表示を行なっても長時間の動作が可能となる。
【０１３４】
本発明の電子機器として、例えば携帯電話の場合、図１１に示すブロック図のように、中央処理装置（ＣＰＵ）１１１と、制御部１１２と、ランダムアクセスメモリ（ＲＡＭ）１１３と、リードオンメモリ（ＲＯＭ）１１４と、使用者により操作されたデータをＣＰＵ１１１に入力する入力部１１５と、アンテナ１１６と、アンテナ１１６で受信された信号を復調して制御部１１２に供給すると共に、制御部１１２から供給された信号を変調してアンテナ１１６より送信させる無線部（ＲＦ）１１７と、制御部１１２からの鳴動信号に基づき鳴音するスピーカ１１８と、制御部１１２からの制御により点灯、消灯あるいは点滅する発光ダイオード（ＬＥＤ）１１９と、制御部１１２から信号により情報の表示を行なう表示部１２０と、制御部１１２からの駆動信号により振動するバイブレータ１２１と、使用者の音声を音声信号に変換して制御部１１２へ伝達し、制御部１１２からの音声信号は音声に変換して出力する送受話部１２２と、各部に電源を供給する電源部１２３とから構成されており、その電源部１２３に本発明の燃料電池および燃料電池容器が組み込まれる。
【０１３５】
この場合、燃料電池および燃料電池容器が、コンパクト性、簡便性および安全性に優れ、燃料の均等供給および高効率な電気接続による長時間の電源供給が可能となることから、携帯電話の小型、低背化および軽量化が可能となる。
【０１３６】
また、近時の携帯電話が小型化、低背化の面では十分であることを考慮すると、このように燃料電池を小型、低背化することよって生じたスペースに、例えば、カメラやビデオ等の電話機能以外の機能を有する電子部品を新たに組み込むことが可能となり、更なる多機能化を行なうことができる。
【０１３７】
また、新たに電子部品を組み込む替わりに、衝撃吸収材や防止部材等を主要な電子回路を保護するようにして設けることもできる。この場合、落下等により携帯電話本体に衝撃が加わった際の耐衝撃性や、雨中での使用等の際の防水性などを従来よりも強固にし得る構造とすることもできる。
【０１３８】
また、携帯電話本体内部の電気回路部を小さくすることが可能となることによって、携帯電話本体の外形への制約が少なくなり、例えば、携帯電話を老人や子供にとって握りやすい形状とすること等の意匠性に優れた外形状を形成することが可能となる。
【０１３９】
また、電源部１２３の構造を上述のように燃料電池および燃料電池容器が着脱自在となる構造とした場合には、予備の燃料電池および燃料電池容器を準備しておけば、電池切れ等が発生した場合に容易に予備の燃料電池および燃料電池に交換、あるいは、燃料電池を取り出して、燃料の補給や交換をすることができるので、継続して通話等を行うことができ、従来の蓄電池を電源として使用するもの等に比べて利便性に優れるものとなる。
【０１４０】
また、交換された（使用済みの）燃料電池は、燃料を補給することによりすぐに再利用できるので、充電に比べて使い勝手がよく、また資源を有効利用することも可能なものとなる。また、自然災害等による長期にわたる停電等の緊急時や屋外においても使用が可能となるという利点がある。
【０１４１】
また、ノート型ＰＣ（パーソナルコンピュータ）の場合、パーソナルコンピュータ本体と、パーソナルコンピュータ本体に所定のデータを入力するためのキーボードとを納めた第１の筐体と、キーボードにより入力されたデータあるいはパーソナルコンピュータ本体により処理されたデータを表示するためのディスプレイを納めた第２の筐体とを備え、第２の筐体が第１の筐体に開閉可能に取り付けられており、さらに各部に電源を供給する電源部を第１の筐体に構成するという基本構成から成り、その電源部に燃料電池および燃料電池容器が組み込まれる。この場合、前述の携帯電話と同様に、本発明の電子機器に組み込まれる燃料電池および燃料電池容器が、コンパクト性、簡便性および安全性に優れ、燃料の均等供給および高効率な電気接続による長時間の電源供給が可能となることから、ノート型ＰＣ（パーソナルコンピュータ）本体の小型、低背化、軽量化および多機能化が可能となるとともに、ディスプレイの大型化や高解像度化に対応して、大きな電流を安定して、長期にわたって供給することも可能で、ディスプレイが見やすく、かつ携帯の際の重量や容積上の負担も少ない、等の利便性の高いノート型ＰＣ（パーソナルコンピュータ）とすることができる。
【０１４２】
また、電源部の構造を燃料電池および燃料電池容器が着脱自在となる構造とした場合には、予備の燃料電池および燃料電池容器を準備しておけば、屋外や旅客機等の移動体内等の２次電池のみで使用するような状況において、従来に比べ飛躍的に長時間の電源供給が可能となるという利点がある。また、このように公共の場で使用する場合にも、安全性に優れることから、制約を受けることなく使用することが可能な、極めて利便性に優れたものとなる。
【０１４３】
なお本発明は上述の実施例に限定されるものではなく、本発明の要旨を逸脱しない範囲であれば種々の変更は可能であり、例えば、上述の実施例において燃料電池としてメタノールを燃料に用いたＤＭＦＣを用いたが、ジメチルエーテルを初めとする各種液体を燃料とする燃料電池を用いることもできる。
【０１４４】
【発明の効果】
本発明の第１から第１０の電子機器によれば、下側および上側主面にそれぞれ第１および第２電極を有する電解質部材を収容する第１凹部または凹部を上面に有する多層セラミックスから成る基体と、この基体の第１凹部または凹部の周囲の上面に第１凹部または凹部を覆って取着される、第１凹部または凹部を気密に封止する蓋体とを具備していることから、燃料電池用容器内を気密に封止することで、気体等の流体の漏れがなく、この容器の他にパッケージ等の容器を設ける必要がないので、効率良く、安全に動作させることができる、高機能かつ安定して使用することが可能な電子機器を得ることができるとともに、小型，低背化にも有効なものとなる。
【０１４５】
また、第１凹部または凹部を上面に有する多層セラミックスから成る基体とこの第１凹部または凹部を封止する蓋体とで形成される箱体内に複数の電解質部材を収納して燃料電池とすることができるので、電解質部材が容器の外部に露出して損傷を受けたりすることがなく、燃料電池全体としての機械的信頼性が向上する。よって、燃料電池の保護部材が不要なため、小型，低背な電子機器を提供することができる。
【０１４６】
また、第１凹部または凹部および蓋体で構成される容器内部に一端が配設された第１および第２配線導体の他には電解質部材自体に無用な電気的接触をしないで済むので、信頼性および安全性の高い燃料電池を得ることができ、長期信頼性および安全性の高い電子機器を提供することができる。
【０１４７】
また、このような燃料電池は、基体および蓋体の少なくとも一方に、外部接続用端子（正極端子および負極端子）を具備しているため、電子機器の回路基板に容易に電気的接続が可能となり、着脱が自在である。そのため、特殊な安全設備を備えた施設等によることなく、容易に燃料電池を新しいものと取り替えることができ、電子機器の利便性を高いものとすることができる。
【０１４８】
さらに、燃料電池用容器の構成材料として多層セラミックスを用いたことにより、腐食性を考慮することなく各種のガスや液体を使用することができ、電力の供給効率の向上が容易である。また、多層セラミックスを形成する各層のセラミックスに、従来周知のメタライズ法により自在に配線導体を形成することができるため、燃料電池の電気配線が自由に可能であることから、複数セルの直列，並列接続が容易で、電子機器の小型、低背化、および軽量化を飛躍的に向上させることができる。すなわち、本発明の第２および第７の電子機器によれば、基体に形成された、一端が第１凹部または凹部の１つの底面で電解質部材の第１電極に対向するとともに、他端が第１凹部または凹部の他の１つの底面で電解質部材の第１電極に対向する第３配線導体とを具備していることから、複数個の電解質部材を電気的に接続することでそれらを並列接続することが可能となる。その結果、燃料電池全体の出力電流の調整ができるため、電解質部材にて電気化学的に生成された電気を良好な状態で外部に取り出すことができ、長期にわたって電流が安定した、信頼性に優れる電子機器を提供することができる。
【０１４９】
また、本発明の第３および第８の電子機器によれば、基体に形成された、一端が第１凹部または凹部の１つの底面で電解質部材の第１電極に対向し、かつ他端が基体の蓋体が取着される上面に導出された第４配線導体と、一端が蓋体の下面で第１凹部または凹部の他の１つの電解質部材の第２電極に対向し、かつ他端が蓋体の基体の上面に取得される下面に第４配線導体の他端と対向するように導出された第５配線導体とを具備していることから、複数個の電解質部材を電気的に接続することでそれらを直列接続することが可能となる。その結果、一つ一つの電解質部材の発電では微小電圧であっても、直列接続により合計の電圧の調整ができるため、電解質部材にて電気化学的に生成された電気を良好な状態で外部に取り出すことができ、長期にわたって電圧が安定した、信頼性に優れる電子機器を提供することができる。
【０１５０】
また、本発明の第４および第９の電子機器によれば、基体に形成された、一端が第１凹部または凹部の底面で電解質部材の１つの第１電極に対向するとともに、他端が第１凹部または凹部の底面で電解質部材の他の１つの第１電極に対向する第６配線導体とを具備していることから、複数個の電解質部材を電気的に接続することでそれらを並列接続することが可能となる。その結果、燃料電池全体の出力電流の調整ができるため、電解質部材にて電気化学的に生成された電気を良好な状態で外部に取り出すことができ、長期にわたって電流が安定した、信頼性に優れる電子機器を提供することができる。
【０１５１】
また、本発明の第５および第１０の電子機器によれば、基体に形成された、一端が第１凹部または凹部の底面で電解質部材の１つの第１電極に対向し、かつ他端が基体の蓋体が取着される上面に導出された第７配線導体と、一端が蓋体の下面で電解質部材の他の１つの第２電極に対向し、かつ他端が蓋体の基体の上面に取得される下面に第７配線導体の他端と対向するように導出された第８配線導体とを具備している燃料電池を用いたことから、このような燃料電池において、複数個の電解質部材を電気的に接続することでそれらを直列接続することが可能となる。その結果、一つ一つの電解質部材の発電では微小電圧であっても、直列接続により合計の電圧の調整ができるため、電解質部材にて電気化学的に生成された電気を良好な状態で外部に取り出すことが可能となり、長期にわたって電圧が安定した、信頼性に優れる電子機器を提供することができる。
【０１５２】
また、このような燃料電池において、電解質部材の下側主面に対向する第１凹部または凹部の底面から基体の外面にかけて形成された第１流体流路と、電解質部材の上側主面に対向する蓋体の下面から蓋体の外面にかけて形成された第２流体流路とを具備していることから、複数のそれぞれの流体流路は、電解質部材を挟んで、それぞれ対向する内壁面に設けられているため、電解質部材へ供給される流体の均一供給性を向上させることができる。このような流体経路によれば、流体が電解質部材に対して垂直に流れるため、例えば、流体が水素ガス、または、メタノール水溶液等と空気（酸素）ガスとの場合に、電解質部材が下側および上側主面にそれぞれ有する第１および第２電極に供給される各ガス分圧が下がることはなく、所定の安定した出力電圧を得ることができるという効果がある。
【０１５３】
さらに、供給される流体の圧力、例えばガス分圧が安定するため、燃料電池用容器の内部温度の分布が均一化され、その結果、電解質部材に生じる熱応力を抑制することができ、燃料電池の信頼性を向上させることができるため、より信頼性に優れた電子機器を提供することができる。
【０１５４】
さらにまた、それぞれの流体流路は基体と蓋体とに形成されるため、各流路の密閉性に優れ、また固体電解質の張出部を基体上面の第１凹部または凹部の外周部に設けられた載置部に載置するため、電解質部材により第１流体流路と第２流体流路とが隔絶される構造となり、２種類の原料流体（例えば酸素ガスと水素ガスもしくはメタノール水溶液等）が混合してしまうことによって燃料電池としての機能が発現されなくなるようなことがなく、また、可燃性の流体が高温で混合された後に引火，爆発を起こす危険性もないので、安全な電子機器を提供することができる。
【０１５５】
また、本発明の第１から第１０の電子機器によれば、燃料電池用容器の載置部に電解質部材を載置して、この電解質部材の下側および上側主面を第１および第２流体流路との間でそれぞれの流体がやりとり可能なように配置するとともに、第１および第２電極を第１および第２配線導体、ならびに第１〜第３配線導体、ならびに第１，第２，第４および第５配線導体、ならびに第１，第２および第６配線導体、ならびに第１，第２，第７および第８配線導体にそれぞれ電気的に接続するとともに外部接続用端子にそれぞれ電気的に接続し、基体の第１凹部または凹部の周囲の上面に第１凹部または凹部を覆って蓋体を取着して成ることから、以上のような本発明の燃料電池用容器による特長を備えた、小型，堅牢で、燃料の均等供給，高効率な電気接続を行なうことができる信頼性のある燃料電池を用いた、低背化、高機能化、高効率化が可能な電子機器を得ることができる。
【０１５６】
また、本発明の第１から第１０の電子機器によれば、第１配線導体および第２配線導体の少なくとも一方は、第１凹部または凹部の底面の第１流体流路の開口の周辺または蓋体の下面の第２流体流路の開口の周辺に、電解質部材の第１電極または第２電極に当接するように形成されたものとしたことにより、電解質部材の第１電極または第２電極の第１流体流路または第２流体流路の開口を除く部位の全域と、第１配線導体または第２配線導体とを直接接触させて電気的に接続することができる。そのため、電解質部材の第１電極と第１配線導体との接触面積および第２電極と第２配線導体との接触面積が大きくとれるとともに直接に接続することができ、電気抵抗の増大化および接触不良を有効に抑えることができるので、高い発電効率を有した電子機器を提供することができる。
【０１５７】
また、本発明の第１から第１０の電子機器によれば、基体が多層セラミックスから成るため、内部に位置するセラミック層の表面にメタライズ法等により金属層を種々の形状，電気特性で形成することができるので、基体の内部に、抵抗やキャパシタンスやインダクタンス等として機能する電子回路素子を形成することができる。従って、例えば、燃料電池に平行して、大容量のキャパシタを形成することで、燃料電池から出力される電流が不足する状態となった場合、不足する電流分が補填されて目標出力電流に応じた電流供給を確保することが可能である。また、昇圧回路を形成することができるため、電子機器に必要な電圧を確保することが可能である。
【０１５８】
また、本発明の第１から第１０の電子機器によれば、基体に内部回路が形成されていることから、基体表面において内部回路に電気的に接続された電子部品を搭載することができる。従って、基体表面に搭載した電子部品によって電子機器の機能性を向上させることができる。
【０１５９】
また、本発明の第１から第５の電子機器によれば、基体の表面に内部回路に電気的に接続された電子部品が設けられているため、電子部品として、例えばセンサーや制御ＩＣ等を用いて、濃度センサーで流体流路内の燃料の濃度を検知することにより、最適な循環や燃料の希釈、燃料の利用効率の低下を抑制することが可能となる。
【０１６０】
また、本発明の第１から第１０の電子機器によれば、第１および第２流体流路の少なくとも一方の途中に圧電ポンプが設けられているために、流体流路に取り付けられた小型の圧電ポンプが、燃料の逆流を防ぎ、その結果反応物質等による未使用燃料の汚染を防ぐことができ、また、滞留していた空気は排出されることから、電子機器の動作に滞留した空気が悪影響を与えることを避けることができる。さらに、燃料が一定に供給され、その結果安定した発電が行われるとともに、燃料供給が円滑に行われるので起動時間を速くすることが可能である。これにより、例えば、燃料電池や燃料カートリッジを新しいものに取り替えた後や燃料を補充した後でも、すぐに電子機器を使用することが可能となり、従来の化学電池等を用いた電子機器と比べても遜色の無い利便性を有する電子機器を提供することができる。
【０１６１】
以上のことから、本発明の電子機器によれば、コンパクト性，簡便性，安全性に優れ、流体の均等供給，高効率な電気接続を可能とした燃料電池を用いることにより、小型，低背で、かつ長期にわたり安定して作動させることができ、さらに安全性や利便性に優れた電子機器を提供することができる。
【図面の簡単な説明】
【図１】本発明の電子機器に組み込まれる燃料電池の実施の形態の一例を示す断面図である。
【図２】本発明の電子機器に組み込まれる燃料電池の実施の形態の他の例を示す断面図である。
【図３】本発明の電子機器に組み込まれる燃料電池の実施の形態の他の例を示す断面図である。
【図４】本発明の電子機器に組み込まれる燃料電池の実施の形態の他の例を示す断面図である。
【図５】本発明の電子機器に組み込まれる燃料電池の実施の形態の他の例を示す断面図である。
【図６】本発明の電子機器に組み込まれる燃料電池の実施の形態の一例を示す断面図である。
【図７】本発明の電子機器に組み込まれる燃料電池の実施の形態の他の例を示す断面図である。
【図８】本発明の電子機器に組み込まれる燃料電池の実施の形態の他の例を示す断面図である。
【図９】本発明の電子機器に組み込まれる燃料電池の実施の形態の他の例を示す断面図である。
【図１０】本発明の電子機器に組み込まれる燃料電池の実施の形態の他の例を示す断面図である。
【図１１】本発明の電子機器の実施の形態の一例を示すブロック図である。
【図１２】従来の燃料電池の断面図である。
【図１３】本発明の電子機器に組み込まれる燃料電池の実施の形態の他の例を示す断面図である。
【図１４】本発明の電子機器に組み込まれる燃料電池の実施の形態の他の例を示す断面図である。
【符号の説明】
１，２１，３１，４１，５１，６１，７１，８１，９１，１０１：燃料電池
２，２２，３２，４２，５２，６２，７２，８２，９２，１０２：燃料電池用容器
３：電解質部材
４：第１電極
５：第２電極
６，６６：基体
７，６７：蓋体
８：第１流体流路
９：第２流体流路
１０：第１配線導体
１１：第２配線導体
１２：外部接続用端子
１３：第３配線導体
１４：第４配線導体
１５：第５配線導体
１６：第６配線導体
１７：第７配線導体
１８：第８配線導体
１９ａ：載置部
１９ｂ：当接部
２０：張出部
１１１：中央処理装置（ＣＰＵ）
１１２：制御部
１１３：ランダムアクセスメモリ（ＲＡＭ）
１１４：リードオンメモリ（ＲＯＭ）
１１５：入力部
１１６：アンテナ
１１７：無線部（ＲＦ）
１１８：スピーカ
１１９：発光ダイオード（ＬＥＤ）
１２０：表示部
１２１：バイブレータ
１２２：送受話部
１２３：電源部
【図１】
2005038670.tif 000003
【図２】
2005038670.tif 000004
【図３】
2005038670.tif 000005
【図４】
2005038670.tif 000006
【図５】
2005038670.tif 000007
【図６】
2005038670.tif 000008
【図７】
2005038670.tif 000009
【図８】
2005038670.tif 000010
【図９】
2005038670.tif 000011
【図１０】
2005038670.tif 000012
【図１１】
2005038670.tif 000013
【図１２】
2005038670.tif 000014
【図１３】
2005038670.tif 000015
【図１４】
2005038670.tif 000016